(57)【要約】【課題】加飾層の微妙な色調の調整を容易且つ安価に実現可能な表示装置用前面板を提供する。【解決手段】前面板２０は、透光性基材２５と、透光性基材に積層された加飾層３０と、を含む。加飾層は、金属層、メタリック色材を含む樹脂層及び白色色材を含む樹脂層のいずれかからなる第１層３１と、金属層、メタリック色材を含む樹脂層、白色色材を含む樹脂層及び有彩色色材を含む樹脂層のいずれかからなる第２層３２と、を含む。第２層３２は、第１層の透光性基材側に設けられ且つ第１層が形成されている領域内に所定のパターンにて形成されている。【選択図】図３
2015132688.tif 000002
【特許請求の範囲】
【請求項１】
透光性基材と、
前記透光性基材に積層された加飾層と、を備え、
前記加飾層は、
金属層、メタリック色材を含む樹脂層及び白色色材を含む樹脂層のいずれかからなる第１層と、
金属層、メタリック色材を含む樹脂層、白色色材を含む樹脂層及び有彩色色材を含む樹脂層のいずれかからなる第２層であって、前記第１層の前記透光性基材側に設けられ且つ前記第１層が形成されている領域内に所定のパターンにて形成された第２層と、を含む、表示装置用前面板。
【請求項２】
前記第１層および前記第２層の一方が、有彩色色材を含む樹脂層であり、
前記第１層および前記第２層の他方が、白色色材を含む樹脂層または有彩色色材を含む樹脂層である、請求項１に記載の表示装置用前面板。
【請求項３】
前記加飾層が、前記第２層上に前記所定のパターンにて形成され且つ前記第２層と前記第１層との間に位置する第３層をさらに含み、
前記第２層は、有彩色色材を含む樹脂層であり、
前記第３層は、金属層またはメタリック色材を含む樹脂層である、請求項１または２に記載の表示装置用前面板。
【請求項４】
前記第１層が、白色色材を含む樹脂層である、請求項３に記載の表示装置用前面板。
【請求項５】
ＪＩＳＺ８７２２（１９８２）の条件ｃに準拠して測定された前記第１層の可視光反射率が、７０％以上である、請求項１〜４のいずれか一項に記載の表示装置用前面板。
【請求項６】
前記第１層が、金属層またはメタリック色材を含む樹脂層であり、
前記第２層が、白色色材を含む樹脂層または有彩色色材を含む樹脂層である、請求項１または５に記載の表示装置用前面板。
【請求項７】
前記第２層の厚みは、前記第１層の厚みの１／３０以下である、請求項１〜６のいずれか一項に記載の表示装置用前面板。
【請求項８】
前記加飾層は、前記第１層の前記透光性基材とは反対側に積層された遮光層を、さらに含む、請求項１〜７のいずれか一項に記載の表示装置用前面板。
【請求項９】
光学濃度ＯＤ値で表した前記遮光層の透過率は、３以上である、請求項８に記載の表示装置用前面板。
【請求項１０】
請求項１〜９のいずれか一項に記載の表示装置用前面板を備える、表示装置。
【発明の詳細な説明】
【技術分野】
【０００１】
本発明は、表示装置用前面板および前面板を有した表示装置に関する。
【背景技術】
【０００２】
例えば特許文献１に開示されているように、昨今の表示装置において、表示機構（表示セル、表示パネル）の観察者側に、画像を表示する表示領域と、当該表示領域を取り囲むように形成された非表示領域と、を含む前面板が配置されることがある。前面板を表示機構とともに用いる理由の一つとして、意匠性の改善効果が期待されている。
【０００３】
通常、図１２及び図１３に示すように、表示セル１３０は、画像を表示するための表示領域Ａａ１の周囲に、額縁領域とも呼ばれる非表示領域Ａａ２を有している。この非表示領域Ａａ２には、配線等が配置されている。このため前面板１００が用いられていない装置１１０Ａでは、表示セル１３０を収容するケース１１２Ａが、当該装置１１０Ａの前面の周縁上にも配置され、表示セル１３０の非表示領域Ａａ２を前方から隠蔽している。一方、図１４及び図１５に示すように、前面板１００を設けた装置１１０Ｂにおいては、前面板１００に隠蔽機能を付与することにより、ケース１１２Ｂが装置の前面を広範囲に覆う必要がなくなる。すなわち、前面板１００の裏面に隠蔽層１０１を形成しておけば、前面板の表面によって画成されるフラット面によって、当該装置の前面を画成することができ、意匠性を大幅に向上させることができる。加えて、ケースと同様に、前面板１００にも図形等の絵柄１０３を設けることが可能である。
【０００４】
昨今では、前面板１００の隠蔽層１０１を加飾層として形成し、前面板に意匠性を積極的に付与することも検討されている。例えば、図１６に示すように、ガラス基材２０１、ガラス基材上に形成された有彩色顔料を含んだ有彩色樹脂層２０２、及び、有彩色樹脂層２０２の裏面に形成されたメタリック層２０３を含んだ前面板２００も開発されつつある。
【先行技術文献】
【特許文献】
【０００５】
【特許文献１】特開２０１１−１９４７９９号公報
【発明の概要】
【発明が解決しようとする課題】
【０００６】
一般的に、有彩色樹脂層２０２は、所望の色の顔料を含んだ樹脂組成物を硬化させることによって形成される。したがって、有彩色樹脂層２０２の色調を調整しようとすると、有彩色樹脂層２０２の厚みを変化させるか、或いは、樹脂組成物を都度調整する必要がある。しかしながら、有彩色樹脂層２０２の厚みを変化させたとしても、濃淡を調整することしかできず、加えて、隠蔽性の観点から調整代も十分ではない。また、多種類の樹脂組成物を作製および保管しておくことは、前面板の製造コストを上昇させてしまうことになる。
【０００７】
本発明は、以上の点を考慮してなされたものであり、加飾層の微妙な色調の調整を容易且つ安価に実現可能な表示装置用前面板、および、この表示装置用前面板を有する表示装置を提供することを目的とする。
【課題を解決するための手段】
【０００８】
本発明による前面板は、
透光性基材と、
前記透光性基材に積層された加飾層と、を備え、
前記加飾層は、
金属層、メタリック色材を含む樹脂層及び白色色材を含む樹脂層のいずれかからなる第１層と、
金属層、メタリック色材を含む樹脂層、白色色材を含む樹脂層及び有彩色色材を含む樹脂層のいずれかからなる第２層であって、前記第１層の前記透光性基材側に設けられ且つ前記第１層が形成されている領域内に所定のパターンにて形成された第２層と、を含む。
【０００９】
本発明による前面板において、
前記第１層および前記第２層の一方が、有彩色色材を含む樹脂層であり、
前記第１層および前記第２層の他方が、白色色材を含む樹脂層または有彩色色材を含む樹脂層であるようにしてもよい。
【００１０】
本発明による前面板において、
前記加飾層が、前記第２層上に前記所定のパターンにて形成され且つ前記第２層と前記第１層との間に位置する第３層をさらに含み、
前記第２層は、有彩色色材を含む樹脂層であり、
前記第３層は、金属層またはメタリック色材を含む樹脂層であるようにしてもよい。
【００１１】
本発明による前面板において、前記第１層が、白色色材を含む樹脂層であるようにしてもよい。
【００１２】
本発明による前面板において、ＪＩＳＺ８７２２（１９８２）の条件ｃに準拠して測定された前記第１層の可視光反射率が、７０％以上であるようにしてもよい。
【００１３】
本発明による前面板において、
前記第１層が、金属層またはメタリック色材を含む樹脂層であり、
前記第２層が、白色色材を含む樹脂層または有彩色色材を含む樹脂層であるようにしてもよい。
【００１４】
本発明による前面板において、前記第２層の厚みは、前記第１層の厚みの１／３０以下であるようにしてもよい。
【００１５】
本発明による前面板において、前記加飾層は、前記第１層の前記透光性基材とは反対側に積層された遮光層を、さらに含むようにしてもよい。
【００１６】
本発明による前面板において、光学濃度ＯＤ値で表した前記遮光層の透過率は、３以上であるようにしてもよい。
【００１７】
本発明による表示装置は、上述した本発明による前面板のいずれかを備える。
【発明の効果】
【００１８】
本発明によれば、加飾層の微妙な色調の調整を容易且つ安価に実施することができ、これにより、容易且つ安価に表示装置の意匠性を改善することができる。
【図面の簡単な説明】
【００１９】
【図１】図１は、本発明の一実施の形態を説明するための図であって、表示装置を含んだ装置を示す平面図である。
【図２】図２は、図１のＩＩ−ＩＩ線に沿った断面図である。
【図３】図３は、図２と同様の断面にて、表示装置に組み込まれた前面板を示す断面図である。
【図４】図４は、図３に対応する図であって、前面板の一変形例を示す図である。
【図５】図５は、前面板を示す平面図であって、加飾層の第２層のパターンの一例を示す図である。
【図６】図６は、前面板を示す平面図であって、加飾層の第２層のパターンの他の例を示す図である。
【図７】図７は、前面板を示す平面図であって、加飾層の第２層のパターンのさらに他の例を示す図である。
【図８】図８は、前面板示す平面図であって、加飾層の第２層のパターンのさらに他の例を示す図である。
【図９】図９は、図２と同様に断面において、加飾層の層構成の一具体例を示す図である。
【図１０】図１０は、図２と同様に断面において、加飾層の層構成の他の具体例を示す図である。
【図１１】図１１は、図２と同様に断面において、加飾層の層構成のさらに他の具体例を示す図である。
【図１２】図１２は、従来の表示装置を含んだ装置の一例を説明するための平面図である。
【図１３】図１３は、図１２の装置を示す縦断面図である。
【図１４】図１４は、従来の表示装置を含んだ装置の他の例を説明するための平面図である。
【図１５】図１５は、図１４の装置を示す縦断面図である。
【図１６】図１６は、図３に対応する図であって、前面板を示す断面図である。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「円」、「四角形」、「同一」等の用語等については、厳密な意味に縛られることなく、実際の使用において同等と判断され得る範囲を含めて解釈することとする。
【００２１】
図１〜図１１は本発明の一実施の形態およびその変形例を説明するための図である。以下に説明する一実施の形態では、本発明による前面板を携帯端末用の表示装置に適用した例を説明する。しかしながら、本発明による前面板を含んだ表示装置は、携帯端末に限られることなく種々の装置に適用することができる。
【００２２】
図１及び図２は、それぞれ、表示装置１５を含んだ携帯端末１１を示す平面図または縦断面図である。図３は、図２の縦断面図の部分拡大図にて、表示装置１５に含まれた前面板２０を示している。図４は、前面板２０の一変形例を示す縦断面図である。図５〜図８は、前面板２０の加飾層３０に含まれる第２層３２のパターン例を示す平面図である。
【００２３】
図１及び図２に示すように、携帯端末１１として構成された装置１０は、表示装置１５と、表示装置１５を収容するケース１２と、を有している。表示装置１５は、画像を形成する画像形成装置としての表示機構１８と、表示機構１８に積層された前面板２０と、を有している。図２に示すように、表示装置１５の表示機構１８は、画像が表示される表示領域Ａ１と、表示領域Ａ１を周状に取り囲む非表示領域Ａ２と、を画成する。表示機構１８は、特に制限されることなく種々の表示機構、例えば、液晶表示装置、ＥＬ表示装置、プラズマ表示装置等を用いることができる。
【００２４】
以下で詳しく説明するように、前面板２０は、非表示領域Ａ２において、優れた隠蔽性を発揮し得る。したがって、図１２及び図１３に示された従来例と異なり、ケース１２は、表示装置１５を側方から支持するだけでよく、装置１０の前面において表示セル３０の非表示領域Ａ２を覆う必要はない。これにより、装置１０の前面には、ケース１２が殆ど露出しておらず、表示セル３０の前面側基板５０によって画成される段差のないフラットな面として形成され得る。このため、装置１０は、デザイン性において優れる。
【００２５】
なお、装置１０は、携帯端末１１として機能するために必要となる回路等を適宜含んでいるが、図示を省略している。携帯端末１１として機能するための構成は、既知の構成と同様にすることができる。したがって、携帯端末１１として機能するための構成についての説明は省略する。以下、ケース１２に支持された表示装置１５の前面板２０について説明する。
【００２６】
図３に示すように、前面板２０は、透光性基材２５と、透光性基材２５に積層された加飾層３０と、を有している。透光性基材２５は、加飾層３０を支持する部位であるとともに、表示装置１５の最も観察者側の表面を形成する部位となる。したがって、好ましくは、透光性基材２５が十分な強度や落下時の衝撃に対する耐性を有している。とりわけ表示装置１５がタッチパネル機能を有している場合には、透光性基材２５は、接触位置を検出される面をなす。このような用途においては、外力が透光性基材２５に頻繁に加えられるようになるので、透光性基材２５の強度や衝撃耐性がより重要となる。透光性基材２５は、一例として、強化処理された無アルカリガラスから形成され得る。
【００２７】
図示された例において、加飾層３０は、透光性基材２５の背面側（表示機構１８の側）を向く面上に、非表示領域Ａ２の全領域に亘って形成されている。加飾層３０は、非表示領域Ａ２内において、表示機構１８の回路や配線等を隠蔽しながら、装置１０や表示装置１５の意匠性を向上させる層である。
【００２８】
まず隠蔽性の観点から、加飾層３０が形成されている部分での可視光に対する透過率が、光学濃度（ＯＤ）で表して、４以上となっていることが好ましい。なお、光学濃度にて表される透過率の値（ＯＤ）は、垂直入射した入射光の強度Ｉｉｎと垂直に透過した透過光の強度Ｉｏｕｔとを用いた「ｌｏｇ１０（Ｉｉｎ／Ｉｏｕｔ）」によって特定される。また、意匠性を向上させる観点から、加飾層３０は、製品名や製造名を表示する絵柄部３９が形成されていてもよい（図１参照）。絵柄部３９は、情報を表示する文字や記号等に限られることなく、模様やパターン等であってもよい。
【００２９】
図３に示すように、加飾層３０は、具体的な構成として、第１層３１及び第２層３２を含んでいる。第１層３１は、ベタ膜として形成されている。図示された例において、第１層３１は、非表示領域Ａ２の全領域に亘って形成されている。第２層３２は、透光性基材２５上の第１層３１によって覆われている領域内に設けられている。すなわち、第２層３２は、透光性基材２５と第２層３２との間となる領域に配置されている。そして、第２層３２は、ベタ膜ではなく、所定のパターンで形成されている。
【００３０】
第１層３１は、次の（ａ）、（ｂ）及び（ｃ）のいずれかの層として形成されている。一方、第２層３２は、次の（ａ）、（ｂ）（ｃ）及び（ｄ）のいずれかの層として形成されている。
（ａ）金属層
（ｂ）メタリック色材を含む樹脂層
（ｃ）白色色材を含む樹脂層
（ｄ）有彩色色材を含む樹脂層
【００３１】
まず、（ａ）の金属層は、金属からなる薄膜の層である。例えば、スパッタリングや真空蒸着等の気相成長法で形成したクロム、アルミニウム、マグネシウム、銀等の金属薄膜とすることができる。
【００３２】
次に、（ｂ）のメタリック色材を含む樹脂層について説明する。メタリック色材とは、メタリック顔料であり、典型的には、樹脂中に分散し得る粉状の金属のことである。このような金属としては、アルミニウムや銀、銅、金等を例示することができる。そして、メタリック色材を含む樹脂層は、感光性樹脂硬化物としての樹脂バインダからなる主部と、主部中に分散した色材と、を含む塗膜として形成される。典型的には、色材分散レジスト塗膜として形成され得る。
【００３３】
（ｃ）の白色色材を含む樹脂層および（ｄ）の有彩色色材を含む樹脂層は、一例として、白色顔料や有彩色顔料を含んだ樹脂層として形成される。白色色材としては、典型例として酸化チタンを用いることができる。一方、有彩色は、色味の無い明度のみの無彩色と区別される色である。すなわち、有彩色は、赤、緑、青等の色味があり且つ明度、色相および彩度を有する色である。白色色材を含む樹脂層および有彩色色材を含む樹脂層は、感光性樹脂硬化物としての樹脂バインダからなる主部と、主部中に分散した色材と、を含む塗膜として形成される。典型的には、色材分散レジスト塗膜として形成され得る。
【００３４】
第２層３２のパターンは、特に限定されるものではなく、一例として図５〜図８に示すようなパターンを採用することができる。図５に示された例では、第２層３２は、四角形形状、とりわけ正方形形状に形成された一定のドットが分散してなるパターンを有している。また、図６に示された第２層３２は、円形状に形成された一定のドットパターンを形成している。一方、図７に示された第２層３２は、円形状に形成された大きさの異なるドットパターンを形成している。とりわけ、図７に示された第２層３２では、円形状の大きさが、中心において最も大きく周縁に向けてしだいに小さくなっている。すなわち、図７に示された第２層３２では、グラディエーションパターンを形成している。なお、図５〜図７に例示されたパターンにおいて、第２層３２が、ドットパターンではなく、ドット部分が第２層の非形成部となっているネガパターンとして形成されていてもよい。さらに、図８に示された例においては、第２層３２がストライプパターンにて形成されている。
【００３５】
このような加飾層３０では、図５〜図８から理解され得るように、第２層３２が形成されていない領域に、第１層３１が視認されるようになる。このため、第１層３１及び第２層３２の組み合わせが観察されるようになる。そして、第２層３２のパターンを変更することにより、第１層３１及び第２層３２の組み合わせによって種々のデザインを表現することができる。すなわち、加飾層３０のデザイン性を大幅に広げることができ、結果として、装置１０の意匠性を効果的に上昇させることができる。この際、第１層３１及び第２層３２のそれぞれに用いられる二種類の材料を用意しておくだけでよい。したがって、デザインの幅を広げることに対して、大幅な製造コストの上昇を引き起こすこともない。
【００３６】
とりわけ第１層３１は、金属層（ａ）、メタリック色材を含む樹脂層（ｂ）、又は、白色色材を含む樹脂層（ｃ）となっており、優れた反射性を有することになる。したがって、第１層３１は、第２層３２の間に露出した部分に入射する光だけでなく、第２層３２に覆われた部分に第２層３２を透過して入射する光をも、高い反射率で反射することになる。この結果、第１層３１のみによって表現される色調および第２層３２のみによって表現される色調の両方と異なる色調を安価且つ容易に表現することが可能となる。また、第１層３１が設けられている領域の全域において、反射光量を確保し得ることにもなり、これにともなって、加飾性を積極的に発揮することができる。なお、本件発明者らが鋭意実験を繰り返したところ、ＪＩＳＺ８７２２（１９８２）の条件ｃに準拠して測定された第１層３１の可視光反射率を７０％以上に設定することが、ここで説明した視覚効果を確保する上で有効であった。なお、ここでいう可視光反射率は、第１層３１単独での反射率であり、その測定は、実際の第１層３１と同一材料を用いて同一厚みに形成された第１層３１の試験サンプルに対して実施され得る。
【００３７】
ところで、第２層３２がなす所定パターンは、人間の目によって分解可能な程度の大きさであってもよいし、分解不可能な大きさであってもよい。第２層３２がなす所定パターンが人間の目によって分解可能な大きさである場合、すなわち、第２層３２のパターンが認識され得る場合、第１層３１及び第２層３２の組み合わせによって、絵柄、模様またはパターン自体に関連した意匠性の拡充を図ることができる。その一方で、第２層３２がなす所定パターンが人間の目によって分解不可能な大きさである場合、すなわち、第２層３２のパターンが認識され得ない場合、主として、第１層３１及び第２層３２の組み合わせによる色調に関連した意匠性の拡充を図ることができる。第２層３２による所定のパターンについては、ドットパターンやストライプパターン等である場合にはその配列ピッチや大きさ又は線幅を、ネガパターンである場合には第２層３２の非形成部の配列ピッチや大きさを、５００μｍ以下とすれば、人間の目で簡単に分解できなくなる。
【００３８】
なお、第２層３２のパターンは、地模様としての視覚効果を目的としており、この点において、絵柄部３９による視覚効果と区別されるべきである。第２層３２によるパターンと絵柄部３９との間における視覚効果の相違をもたらす構成上での相違として、第２層３２によるパターンのピッチが小さいことを挙げることができる。ここで説明する第２層３２による所定のパターンについては、ドットパターンやストライプパターン等である場合にはその配列ピッチや大きさ又は線幅が、ネガパターンである場合には第２層３２の非形成部の配列ピッチや大きさが、１０００μｍ以上２０００μｍ以下となっていることが上述してきた作用効果を確保する上で好ましく、５００μｍ以上１０００μｍ以下となっていることがより好ましく、１０μｍ以上５００μｍ以下となっていることがさらに好ましい。
【００３９】
ここで、前面板２０に含まれる第１層３１及び第２層３２の好適な例について、さらに説明する。
【００４０】
まず、第１層３１および第２層３２の一方が、有彩色色材を含む樹脂層（ｄ）であり、第１層３１および第２層３２の他方が、白色色材を含む樹脂層（ｃ）または有彩色色材を含む樹脂層（ｄ）であるようにしてもよい。この例によれば、第１層３１および第２層３２の一方をなす有彩色と、第１層３１および第２層３２の他方をなす白色または有彩色との組み合わせにより、種々の色調を表現することができる。上述したように、第１層３１および第２層３２をなす二種類の原料を調整しておくとともに、第２層３２のパターンを変更することにより、幅の広い色調を安価且つ容易に実現することができる。
【００４１】
このような態様の一具体例として、図９に示すように、白色色材を含む樹脂層（ｃ）を第１層３１に用い、有彩色色材を含む樹脂層（ｄ）を第２層３２に用いることができる。図９に示された加飾層３０では、反射率が高くなる傾向を有した第１層３１によって、第２層３２の有彩色と組み合わされた色調を、積極的に表現することが可能となる。
【００４２】
次の例として、図１０に示すように、第１層３１が、金属層（ａ）又はメタリック色材を含む樹脂層（ｂ）であり、第２層３２が、白色色材を含む樹脂層（ｃ）又は有彩色色材を含む樹脂層（ｄ）であるようにしてもよい。このような例において、透光性基材２５上の第１層３１で覆われる領域に対する第２層３２が形成されている領域の割合が低い場合、白色または有彩色の色味を付与された金属光沢感を強く表現することができる。その一方で、透光性基材２５上の第１層３１で覆われる領域に対する第２層３２が形成されている領域の割合が高い場合には、白または有彩色をメタリック調で表すことができる。図１０に示された例では、反射率が低くなる傾向を有した有彩色色材を含む樹脂層（ｄ）を第２層３２として用いた場合、すなわち、透過率が高くなる傾向を有した有彩色色材を含む樹脂層（ｄ）を第２層３２として用いた場合に、金属層（ａ）又はメタリック色材を含む樹脂層（ｂ）からなる第１層３１による上述の視覚効果が引き立つようになる。
【００４３】
さらに、図４に示すように、加飾層３０が、第２層３２と同一のパターンで第２層３２上に形成され且つ第２層３２と第１層３１との間に位置する第３層３３をさらに含むようにしてもよい。この例において、第３層３３は、金属層（ａ）又はメタリック色材を含む樹脂層（ｂ）とし得る。図４に示す例によれば、第１層３１とメタリック調に視認される第２層３２との組み合わせによる視覚効果を確保することができる。一具体例としては、図１１に示すように、透過率が高くなる傾向を有した有彩色色材を含む樹脂層（ｄ）を第２層３２として用いることにより、上述したように、第３層３３による視覚効果を引き立たせて、メタリック感を増すことができる。また、図１１に示すように、反射率が高くなる傾向を有した白色色材を含む樹脂層（ｃ）を第１層３１に用いることにより、第２層３２及び第３層３３によるメタリック調有彩色と組み合わされた色調を、積極的に表現することが可能となる。
【００４４】
ところで、上述してきたように、第１層３１の反射率が高くなっており、第２層３２の透過率が高くなっていれば、第１層３１及び第２層３２の組み合わせによる色調を強調することが可能となる。この観点から、第２層３２の厚みｔ２は、第１層３１の厚みｔ１よりも薄くなっていることが好ましい。また、図４に示された例のように第３層３３が設けられる場合には、第２層３２の厚みｔ２と第３層３３の厚みｔ３の合計が、第１層３１の厚みｔ１よりも薄くなっていることが好ましい。
【００４５】
また、前面板２０の表示機構１８に対面する側の面の非表示領域Ａ２内に、配線が形成されることがある。典型的な例として、タッチパネル機能を有する表示装置１５では、非表示領域Ａ２内の加飾層３０上に配線が形成される。そして、第２層３２の厚みｔ２が厚いと、第２層３２上に形成された第１層３１の表面に凹凸が形成される。この凹凸が大きい場合には、非表示領域Ａ２に形成される配線が断線してしまうといった可能性が生じる。この点について本件発明者らが鋭意検討を行ったところ、断線の可能性を排除する観点から、第２層３２の厚みｔ２を、第１層３１の厚みｔ１の１／３０以下とすることが有効であることが知見された。また、図４に示された例のように第３層３３が設けられる場合には、第２層３２の厚みｔ２と第３層３３の厚みｔ３の合計が、第１層３１の厚みｔ１の１／３０以下となっていることが好ましい。
【００４６】
さらに、上述したように、非表示領域Ａ２に配置される加飾層３０には隠蔽性が要求される。そして、図示された加飾層３０は、図３及び図４に示すように、第１層３１の透光性基材２５とは反対側に積層された遮光層３５を、さらに含んでいる。図示された遮光層３５は、非表示領域Ａ２の全領域に亘って形成されている。したがって、遮光層３５は、第１層３１が形成されている領域と同一の領域に設けられている。上述したように、加飾層３０全体としての透過率を光学濃度ＯＤ値で表して４以上に安定して確保する観点から、光学濃度ＯＤ値で表した遮光層３５の透過率を３以上にすることが好ましい。
【００４７】
なお、第１層３１の反射率が高い場合、表示機構１８側から第１層３１へ光が入射すると、表示装置１５内に迷光が発生する。このような迷光は、表示機構１８に組み込まれたスイッチング素子の誤作動を引き起こすことにもなる。したがって、非表示領域Ａ２の隠蔽性を確保するといった観点のみからだけでなく、遮光層３５を設けることは有効である。そして、迷光の発生を防止するといった観点においても、光学濃度ＯＤ値で表した遮光層３５の透過率を３以上にすることが好ましい。
【００４８】
遮光層３５は、例えば、感光性樹脂の硬化物としての樹脂バインダからなる主部と、主部中に分散された光吸収性粒子と、を含む塗膜として形成される。典型的には、チタンブラックやカーボンブラック等の黒色顔料を光吸収性粒子として用い、遮光層３５を顔料分散レジスト塗膜として形成することができる。
【００４９】
以上のように本実施の形態によれば、加飾層３０が、金属層（ａ）、メタリック色材を含む樹脂層（ｂ）及び白色色材を含む樹脂層（ｃ）のいずれかからなる第１層３１と、金属層（ａ）、メタリック色材を含む樹脂層（ｂ）、白色色材を含む樹脂層（ｃ）及び有彩色色材を含む樹脂層（ｄ）のいずれかからなる第２層３２と、を含んでいる。そして、第２層３２は、透光性基材２５上の第１層３１によって覆われる領域内に所定のパターンにて形成されている。このような加飾層３０では、第１層３１及び第２層３２の組み合わせが観察されるようになる。そして、第２層３２のパターンを変更することにより、第１層３１及び第２層３２の組み合わせによって種々のデザインを表現することができる。とりわけ第１層３１は、金属層（ａ）、メタリック色材を含む樹脂層（ｂ）、又は、白色色材を含む樹脂層（ｃ）となっており、優れた反射性を有することになる。結果、第１層３１のみによって表現される色調および第２層３２のみによって表現される色調の両方と大きく異なる色調を表現することが可能となる。すなわち、加飾層３０のデザイン性を大幅に広げることができ、結果として、装置１０の意匠性を効果的に上昇させることができる。この際、第１層３１及び第２層３２に用いられる材料は、一定とすることができる。したがって、デザインの幅を広げることに対して、大幅な製造コストの上昇を引き起こすこともない。
【００５０】
以上、本発明を図示する一実施の形態に基づいて説明したが、本発明は以上の実施形態に限定されるものではなく、この他にも種々の態様で実施可能である。例えば、前面板２０が、保護層をさらに含むようにしてもよい。
【符号の説明】
【００５１】
１０   装置
１１   携帯端末
１５   表示装置
１８   表示機構
２０   前面板
２５   透光性基材
３０   加飾層
３１   第１層
３２   第２層
３３   第３層
３５   遮光層
３９   絵柄部
【図１】
2015132688.tif 000003
【図２】
2015132688.tif 000004
【図３】
2015132688.tif 000005
【図４】
2015132688.tif 000006
【図５】
2015132688.tif 000007
【図６】
2015132688.tif 000008
【図７】
2015132688.tif 000009
【図８】
2015132688.tif 000010
【図９】
2015132688.tif 000011
【図１０】
2015132688.tif 000012
【図１１】
2015132688.tif 000013
【図１２】
2015132688.tif 000014
【図１３】
2015132688.tif 000015
【図１４】
2015132688.tif 000016
【図１５】
2015132688.tif 000017
【図１６】
2015132688.tif 000018